(57)【要約】【課題】水、塵、埃等が排紙口から内部に侵入することを防止するための蓋を備えた印刷機器収容箱であって、設置スペースを抑制でき、且つ、安定的に印刷動作を実行させることができる、印刷機器を収容可能な印刷機器収容箱を提供する。【解決手段】印刷機器収容箱１０は、箱１１、左右方向に延びる貫通穴である排紙口１２、箱１１の内部に設けられ、排紙口１２を閉塞する閉塞位置と排紙口１２を開放する開放位置との間に亘って上下方向に移動可能な蓋５０、蓋５０に設けられ、箱１１の外側に突出する取っ手５５、箱１１の内部に設けられ、蓋５０を開放位置で保持可能な保持部材、取っ手５５と上下方向に並ぶように設けられ、第１位置及び第２位置に移動可能であり、保持部材に連結されたボタン７１を備えている。【選択図】図１
2016155249.tif 000002
【特許請求の範囲】
【請求項１】
印刷機器を収容可能な機器収容部と、
外壁に設けられ、前記機器収容部に収容された前記印刷機器によって印刷された媒体を前記外壁よりも内側から外側へ排紙するための、前記外壁に沿った第１方向に延びる貫通穴である排紙口と、
前記外壁と前記機器収容部の間に設けられ、前記排紙口を閉塞する閉塞位置と前記排紙口を開放する開放位置との間を前記外壁に沿って且つ前記第１方向と交差する第２方向に移動可能な蓋と、
前記蓋に設けられ、前記外壁よりも外側に突出する取っ手と、
前記蓋を前記開放位置で保持可能な保持部材と、
前記外壁に、前記取っ手と前記第２方向に並ぶように設けられ、前記外壁と交差する方向の第１位置及び第２位置に移動可能であり、前記保持部材に連結されたボタンと
を備えたことを特徴とする印刷機器収容箱。
【請求項２】
前記外壁に設けられ、前記排紙口に連通し且つ前記第１方向に離間する２つのスリットであって、それぞれが、前記第２方向の一方側に向けて前記排紙口から延びる２つのスリットと、
前記外壁に設けられ、前記第１方向において前記２つのスリットで挟まれた覆口部分と、
前記外壁に設けられ、前記覆口部分に対して前記第２方向の一方側に形成された貫通穴である箱穴部と
を備え、
前記取っ手は、前記２つのスリットを介して前記外壁よりも外側に突出する２つの突出部を備え、
前記蓋は、前記第１方向における位置が前記２つの突出部によって挟まれた部分の少なくとも一部分と一致する部分に、前記箱穴部と重複する重複部分を含む蓋開口部を有し、
前記重複部分に、前記ボタンの少なくとも一部分が挿通し、
前記蓋開口部の少なくとも一部分は、前記蓋が前記閉塞位置に配置された状態で、前記覆口部分と重複することを特徴とする請求項１に記載の印刷機器収容箱。
【請求項３】
前記保持部材は、
前記第１位置に前記ボタンが配置された状態で、前記蓋が前記開放位置から前記閉塞位置に向けて移動することを規制し、前記第２位置に前記ボタンが配置された状態で、前記蓋の前記開放位置から前記閉塞位置への移動の規制を解除する規制部を有することを特徴とする請求項１又は２に記載の印刷機器収容箱。
【請求項４】
前記蓋を、前記開放位置から前記閉塞位置に向けて付勢する第１付勢部材を更に備えたことを特徴とする請求項１から３の何れかに記載の印刷機器収容箱。
【請求項５】
前記ボタンを、前記第２位置から前記第１位置に向けて付勢する第２付勢部材を更に備えたことを特徴とする請求項１から４の何れかに記載の印刷機器収容箱。
【請求項６】
前記取っ手は、
前記２つの突出部のそれぞれの先端の間に亘って設けられた架設部を備え、
前記２つの突出部の前記第１方向の中心と、前記蓋の前記第１方向の中心とのそれぞれの位置が略一致することを特徴とする請求項２に記載の印刷機器収容箱。
【請求項７】
前記２つのスリットのそれぞれの間の距離と、前記２つの突出部のそれぞれの間の距離とが、略等しいことを特徴とする請求項２又は６に記載の印刷機器収容箱。
【請求項８】
前記蓋は、
前記第２方向の他方側の端部に、前記排紙口の前記第２方向の他方側に係合する係合部を備えたことを特徴とする請求項１から７の何れかに記載の印刷機器収容箱。
【請求項９】
前記蓋が前記開放位置から前記閉塞位置に向けて移動するときの移動方向が、前記第２方向の他方側に対して、前記印刷機器収容箱の外側に傾斜したことを特徴とする請求項１から８の何れかに記載の印刷機器収容箱。
【請求項１０】
前記機器収容部は、前記印刷機器を載置可能な載置面を有し、
前記重複部分は、前記載置面よりも、前記第２方向の一方側に配置されたことを特徴とする請求項２に記載の印刷機器収容箱。
【請求項１１】
前記機器収容部に収容された前記印刷機器によって印刷される印刷媒体が巻回されたロールを回転可能に保持する部材であって、前記ロールの前記第２方向の一方側の端部を、前記機器収容部の前記載置面よりも前記第２方向の一方側で保持するロール保持部と、
前記ロールから繰り出された前記印刷媒体を、前記印刷機器に誘導する誘導部と
を備えたことを特徴とする請求項１０に記載の印刷機器収容箱。
【発明の詳細な説明】
【技術分野】
【０００１】
本発明は、印刷機器を収容可能な印刷機器収容箱に関する。
【背景技術】
【０００２】
印刷装置において、筐体の内部に水、塵、埃等が入り込むことを防止したいという要求がある。特に印刷装置の場合、印刷された用紙が排出される排紙口から、水、塵、埃等が筐体の内部に入り込みやすい。特許文献１は、排紙トレイを備えた記録装置を開示する。排紙トレイは、ハウジングに回動可能に設けられている。排紙トレイは、ハウジングの前方の壁部に沿って垂直に延びた状態と、前方側に倒れて略水平に延びた状態とに切り替え可能である。前方の壁部の下側に排紙口が形成されている。排紙トレイは、回動することによって排紙口を開閉する。
【先行技術文献】
【特許文献】
【０００３】
【特許文献１】特開２０１３−２３０５７２号公報
【発明の概要】
【発明が解決しようとする課題】
【０００４】
特許文献１に記載された排紙トレイを、水、塵、埃等が排紙口から内部に入り込むことを防止するための蓋として使用することも考えられる。しかし、この場合、排紙トレイが水平に延びた状態で印刷が行われることになる。従って、水平に延びた状態の排紙トレイ分のスペースを、印刷装置の設置スペースとして余分に確保する必要があるという問題点がある。又、水平に延びた状態で排紙トレイがハウジングに固定されない場合、排紙トレイが印刷中に動いてしまう場合があるので、印刷を安定的に行うことができないという問題点がある。
【０００５】
本発明の目的は、水、塵、埃等が排紙口から内部に侵入することを防止するための蓋を備えた印刷機器収容箱であって、設置スペースを抑制でき、且つ、安定的に印刷動作を実行させることができる、印刷機器を収容可能な印刷機器収容箱を提供することである。
【課題を解決するための手段】
【０００６】
本発明に係る印刷機器収容箱は、印刷機器を収容可能な機器収容部と、外壁に設けられ、前記機器収容部に収容された前記印刷機器によって印刷された媒体を前記外壁よりも内側から外側へ排紙するための、前記外壁に沿った第１方向に延びる貫通穴である排紙口と、前記外壁と前記機器収容部の間に設けられ、前記排紙口を閉塞する閉塞位置と前記排紙口を開放する開放位置との間を前記外壁に沿って且つ前記第１方向と交差する第２方向に移動可能な蓋と、前記蓋に設けられ、前記外壁よりも外側に突出する取っ手と、前記蓋を前記開放位置で保持可能な保持部材と、前記外壁に、前記取っ手と前記第２方向に並ぶように設けられ、前記外壁と交差する方向の第１位置及び第２位置に移動可能であり、前記保持部材に連結されたボタンとを備えている。
【０００７】
本発明の印刷機器収容箱において、蓋は、外壁に沿った第２方向に移動することによって、排紙口を開閉する。蓋は、閉塞位置に配置された状態で、排紙口を介して内部に水、塵、埃等が進入することを抑制できる。又、ボタンが操作されると、保持部材による蓋の保持が解除される。
【０００８】
なお、蓋は、印刷機器収容箱の内部を移動することになるので、開放位置に移動したときでも、印刷機器収容箱から外側に突出しない。このため、ユーザは、印刷機器収容箱の設置スペースとして蓋分を余分に確保する必要がない。又、印刷機器収容箱は、開放位置に配置された蓋に外力が加わることによって、蓋が動いてしまうことを抑制できる。従って、印刷機器収容箱は、印刷機器が内蔵された場合に、印刷機器による印刷を安定的に実行させることができる。
【０００９】
本発明において、前記外壁に設けられ、前記排紙口に連通し且つ前記第１方向に離間する２つのスリットであって、それぞれが、前記第２方向の一方側に向けて前記排紙口から延びる２つのスリットと、前記外壁に設けられ、前記第１方向において前記２つのスリットで挟まれた覆口部分と、前記外壁に設けられ、前記覆口部分に対して前記第２方向の一方側に形成された貫通穴である箱穴部とを備え、前記取っ手は、前記２つのスリットを介して前記外壁よりも外側に突出する２つの突出部を備え、前記蓋は、前記第１方向における位置が前記２つの突出部によって挟まれた部分の少なくとも一部分と一致する部分に、前記箱穴部と重複する重複部分を含む蓋開口部を有し、前記重複部分に、前記ボタンの少なくとも一部分が挿通し、前記蓋開口部の少なくとも一部分は、前記蓋が前記閉塞位置に配置された状態で、前記覆口部分と重複してもよい。覆口部分は、蓋が閉塞位置に配置された状態で、蓋開口部の一部と重複する。このため、印刷機器収容箱は、蓋開口部を介して水、塵、埃等が内部に進入することを、覆口部分によって適切に抑制できる。
【００１０】
本発明において、前記保持部材は、前記第１位置に前記ボタンが配置された状態で、前記蓋が前記開放位置から前記閉塞位置に向けて移動することを規制し、前記第２位置に前記ボタンが配置された状態で、前記蓋の前記開放位置から前記閉塞位置への移動の規制を解除する規制部を有してもよい。この場合、ユーザは、ボタンを第１位置から第２位置に移動させる操作を行うことによって、蓋の位置を、開放位置から閉塞位置に切り替えることができる。なお、取っ手とボタンとは、第２方向に並んで配置される。従ってユーザは、取っ手とボタンとの両方を片手で容易に操作できる。
【００１１】
本発明において、前記蓋を、前記開放位置から前記閉塞位置に向けて付勢する第１付勢部材を更に備えてもよい。この場合、第１付勢部材は、蓋を閉塞位置で適切に保持させることができるので、水、塵、埃等が内部に進入することを、蓋によって適切に抑制できる。又、保持部材は、第１付勢部材の付勢力によって蓋を開放位置から閉塞位置に容易に切り替えることができる。
【００１２】
本発明において、前記ボタンを、前記第２位置から前記第１位置に向けて付勢する第２付勢部材を更に備えてもよい。この場合、第２付勢部材は、ボタンを第１位置から第２位置に移動させる操作が行われることによって、ボタンが内側に移動した場合に、ボタンを元の第１位置に戻すことができる。
【００１３】
本発明において、前記取っ手は、前記２つの突出部のそれぞれの先端の間に亘って設けられた架設部を備え、前記２つの突出部の前記第１方向の中心と、前記蓋の前記第１方向の中心とのそれぞれの位置が略一致してもよい。この場合、取っ手の架設部に対して、第２方向に力が加わったときに、蓋に対して、第１方向に均一に力が付与される。このため、ユーザは、取っ手の架設部に対して第２方向の一方側に力を加えることによって、蓋を閉塞位置から開放位置に適切に移動させることができる。
【００１４】
本発明において、前記２つのスリットのそれぞれの間の距離と、前記２つの突出部のそれぞれの間の距離とが、略等しくてもよい。これによって、印刷機器収容箱は、２つのスリットに沿って２つの突出部が第２方向に移動するときに、蓋が第１方向にがたつくことを抑制できる。
【００１５】
本発明において、前記蓋は、前記第２方向の他方側の端部に、前記排紙口の前記第２方向の他方側に係合する係合部を備えてもよい。この場合、印刷機器収容箱は、蓋が閉塞位置に配置された状態で、排紙口と蓋とのそれぞれの第２方向の他方側の端部から、水、塵、埃等が内部に進入することを適切に抑制できる。
【００１６】
本発明において、前記蓋が前記開放位置から前記閉塞位置に向けて移動するときの移動方向が、前記第２方向の他方側に対して、前記印刷機器収容箱の外側に傾斜してもよい。この場合、印刷機器収容箱は、蓋を、排紙口に対して内側から適切に密着させることができる。従って、蓋は、排紙口を介して水、塵、埃等が内部に進入することを更に適切に抑制できる。
【００１７】
本発明において、前記機器収容部は、前記印刷機器を載置可能な載置面を有し、前記重複部分は、前記載置面よりも、前記第２方向の一方側に配置してもよい。この場合、重複部分に挿通されるボタンと機器収容部とが、第２方向において同じ位置に配置されることを抑制できる。このため、印刷機器収容箱が、第１方向及び第２方向と直交する第３方向に大きくなることを抑制できるので、印刷機器収容箱の小型化が可能となる。
【００１８】
本発明において、前記機器収容部に収容された前記印刷機器によって印刷される印刷媒体が巻回されたロールを回転可能に保持する部材であって、前記ロールの前記第２方向の一方側の端部を、前記機器収容部の前記載置面よりも前記第２方向の一方側で保持するロール保持部と、前記ロールから繰り出された前記印刷媒体を、前記印刷機器に誘導する誘導部とを備えてもよい。この場合、ロールから繰り出される印刷媒体が、誘導部によって第２方向の他方側に誘導される過程で、印刷媒体の巻き癖を取り除くことができる。
【図面の簡単な説明】
【００１９】
【図１】箱１１が閉じた状態の印刷機器収容箱１０の斜視図である。
【図２】箱１１が開いた状態の印刷機器収容箱１０の内部を示す斜視図である。
【図３】箱１１が開いた状態の印刷機器収容箱１０、印刷機器２０、及び、ロール３０の斜視図である。
【図４】蓋５０及び保持機構７０を取り外した印刷機器収容箱１０の斜視図である。
【図５】図１のＩ−Ｉ線における矢視方向断面図である。
【図６】蓋５０の斜視図である。
【図７】蓋５０の右側面図である。
【図８】箱１１が開いた状態の印刷機器収容箱１０の平面図である。
【図９】図１のＩ−Ｉ線における矢視方向断面の一部を拡大した図である。
【図１０】保持機構７０の斜視図である。
【図１１】図１のII−II線における矢視方向断面の一部を拡大した図であって、蓋５０が閉塞位置に配置された状態を示す図である。
【図１２】図１のII−II線における矢視方向断面の一部を拡大した図であって、蓋５０が開放位置に配置された状態を示す図である。
【図１３】図１のII−II線における矢視方向断面の一部を拡大した図であって、蓋５０が閉塞位置に配置された状態を示す図である。
【発明を実施するための形態】
【００２０】
以下、本発明の一実施形態である印刷機器収容箱１０について、図面を参照して説明する。図１の左斜め下側、右斜め上側、左斜め上側、右斜め下側、上側、及び、下側を、それぞれ、印刷機器収容箱１０の前側、後側、左側、右側、上側、及び、下側という。
【００２１】
＜箱１１＞
図１に示すように、印刷機器収容箱１０は箱１１を有する。箱１１の形状は、左右方向に長い略箱状である。箱１１は、上箱１１Ａ及び下箱１１Ｂを有する。上箱１１Ａ及び下箱１１Ｂは、それぞれ、箱１１の上側半分、及び、下側半分に対応する。箱１１は、前外壁１１１、右外壁１１２、左外壁１１３、後外壁１１４、上外壁１１５、及び、下外壁１１６（図５参照）を有する。上箱１１Ａの前外壁１１１Ａ、右外壁１１２Ａ、左外壁１１３Ａ（図２参照）、及び、後外壁１１４Ａ（図２参照）は、それぞれ、箱１１の前外壁１１１、右外壁１１２、左外壁１１３、及び、後外壁１１４の上側半分に対応する。下箱１１Ｂの前外壁１１１Ｂ、右外壁１１２Ｂ、左外壁１１３Ｂ（図２参照）、及び、後外壁１１４Ｂ（図２参照）は、それぞれ、箱１１の前外壁１１１、右外壁１１２、左外壁１１３、及び、後外壁１１４の下側半分に対応する。
【００２２】
図２、図３に示すように、上箱１１Ａ及び下箱１１Ｂは、後外壁１１４Ａ、１１４Ｂにおいて、軸１１Ｃ、１１Ｄを介して回転可能に接続する。箱１１は、下箱１１Ｂに対して上箱１１Ａが回転することによって、前外壁１１１Ａ、１１１Ｂが近接した状態（図１参照）と、前外壁１１１Ａ、１１１Ｂが離隔した状態（図２、図３参照）とに変化する。以下、前外壁１１１Ａ、１１１Ｂが近接した図１の状態を、「箱１１が閉じた状態」という。前外壁１１１Ａ、１１１Ｂが離隔した図２、図３の状態を、「箱１１が開いた状態」という。なお、以下では、特段の限定がない限り、箱１１が閉じた状態について説明する。
【００２３】
下箱１１Ｂの前外壁１１１Ｂの左側の端部に、延設部１４１Ｂが設けられる。下箱１１Ｂの前外壁１１１Ｂの右側の端部に、延設部１４２Ｂが設けられる。延設部１４１Ｂ、１４２Ｂは上側に延びる。図２、図３に示すように、上箱１１Ａの前外壁１１１Ａの左側の端部に、突出部１４１Ａが設けられる。上箱１１Ａの前外壁１１１Ａの右側の端部に、突出部１４２Ａが設けられる。突出部１４１Ａ、１４２Ａは、それぞれ、前外壁１１１Ａに対して直交する方向に突出する。箱１１が閉じた状態で、突出部１４１Ａと延設部１４１Ｂとは係合し、突出部１４２Ａと延設部１４２Ｂとは係合する。突出部１４１Ａ、１４２Ａ、及び、延設部１４１Ｂ、１４２Ｂは、箱１１を閉じた状態で保持し、開いた状態になることを規制する。
【００２４】
下箱１１Ｂの右外壁１１２Ｂに、コネクタ接続部１９Ａ、１９Ｂが設けられる。コネクタ接続部１９Ａ、１９Ｂは、箱１１の内側に向けて凹む。コネクタ接続部１９Ａ、１９Ｂは、上下方向に並ぶ。コネクタ接続部１９Ａ、１９Ｂのそれぞれの左側面に、貫通穴（図示略）が設けられる。ユーザは、コネクタ接続部１９Ａの貫通穴に外部から電源コネクタを差し込むことによって、箱１１に収容された印刷機器２０（図３参照）に電源コネクタを接続できる。又、ユーザは、コネクタ接続部１９Ｂの貫通穴に外部からＵＳＢコネクタを差し込むことによって、印刷機器２０にＵＳＢコネクタを接続できる。
【００２５】
図１〜図４に示すように、上箱１１Ａの前外壁１１１Ａに凹部１２Ａが設けられる。凹部１２Ａは、箱１１が閉じた状態（図１、図４参照）で、前外壁１１１Ａの下側の端部に設けられる。凹部１２Ａは、上側に凹む。下箱１１Ｂの前外壁１１１Ｂに、凸部１２Ｂが設けられる。凸部１２Ｂは、箱１１が閉じた状態（図１、図４参照）で、前外壁１１１Ｂの上側の端部に設けられる。凸部１２Ｂは、上側に突出する。図１、図４に示すように、箱１１が閉じた状態で、凹部１２Ａに凸部１２Ｂが嵌る。凹部１２Ａの上下方向の長さは、凸部１２Ｂの上下方向の長さよりも長い。凹部１２Ａの左右方向の長さと、凸部１２Ｂの左右方向の長さとは略等しい。凹部１２Ａに凸部１２Ｂが嵌った状態で形成される、凹部１２Ａと凸部１２Ｂとの間の隙間は、箱１１の前外壁１１１に排紙口１２を形成する。排紙口１２は、前外壁１１１に沿って左右方向に延びる。排紙口１２は、前外壁１１１を前後方向に貫通する。
【００２６】
図１に示すように、箱１１の内部に蓋５０が設けられる。蓋５０は、下箱１１Ｂの前外壁１１１Ｂの内側面に沿って、略上下方向に移動可能である。蓋５０は、略上側に移動した状態で、排紙口１２を閉塞させることが可能である。又、図５に示すように、蓋５０は、略下側に移動した状態で、排紙口１２を開放させることが可能である。以下、蓋５０が略上側に移動して排紙口１２を閉塞させた場合の蓋５０の位置を、「閉塞位置」という。蓋５０が略下側に移動して排紙口１２を開放させた場合の蓋５０の位置を、「開放位置」という。蓋５０の詳細は後述する。
【００２７】
図４に示すように、下箱１１Ｂの前外壁１１１Ｂにスリット１３Ａ、１３Ｂが設けられる。スリット１３Ａ、１３Ｂは、凸部１２Ｂの上側の端部から、下側に延びる。スリット１３Ａは、排紙口１２の左右方向の中心１２Ｃに対して左側に配置される。スリット１３Ｂは、中心１２Ｃに対して右側に配置される。スリット１３Ａ、１３Ｂは、左右方向に離隔する。スリット１３Ａ、１３Ｂの左右方向の幅は同一である。スリット１３Ａ、１３Ｂは、排紙口１２に連通する。以下、スリット１３Ａ、１３Ｂを総称して、「スリット１３」という。
【００２８】
スリット１３Ａの中心１２Ｃ側の端部と中心１２Ｃとの間の距離、及び、スリット１３Ｂの中心１２Ｃ側の端部と中心１２Ｃとの間の距離は、左右方向において同一である。スリット１３Ａの中心１２Ｃ側と反対側の端部と中心１２Ｃとの間の距離、及び、スリット１３Ｂの中心１２Ｃ側と反対側の端部と中心１２Ｃとの間の距離は、左右方向において同一である。スリット１３Ａ、１３Ｂは、中心１２Ｃに対して左右対称に配置される。以下、スリット１３Ａ、１３Ｂのそれぞれの中心１２Ｃ側の端部の間の距離を、「距離Ｌ１」という。スリット１３Ａ、１３Ｂのそれぞれの、中心１２Ｃ側と反対側の端部の間の距離を、「距離Ｌ２」という。
【００２９】
下箱１１Ｂの前外壁１１１Ｂのうち、スリット１３Ａ、１３Ｂで左右方向の両側から挟まれた部分を、「覆口部分１４」という。下箱１１Ｂの前外壁１１１Ｂのうち、覆口部分１４に対して下側に、箱穴部１５が形成される。箱穴部１５は、前外壁１１１Ｂを前後方向に貫通する貫通穴である。以下、箱穴部１５の左右方向の距離を、「距離Ｌ３」という。距離Ｌ３は、距離Ｌ２よりも小さい。
【００３０】
図１に示すように、蓋５０に設けられた取っ手５５の突出部５５２（図６参照）は、スリット１３を介して、箱１１の内側から外側に突出する。取っ手５５は、蓋５０を閉塞位置と開放位置との間で略上下方向に移動させるために、ユーザによって操作される。保持機構７０のボタン７１（図１０参照）は、箱穴部１５に挿通する。ボタン７１は、蓋５０の開放位置から閉塞位置への移動が規制された状態を解除するために、ユーザによって操作される。取っ手５５及び保持機構７０の詳細は後述する。
【００３１】
＜機器収容部１７１、ロール収容部１８１＞
図２、図５に示すように、箱１１の内部空間のうち前側の部分に、載置台１７が設けられる。載置台１７は、板状部材１７Ａ及び突出部材１７Ｂを有する。板状部材１７Ａは、下外壁１１６から上側に離隔する。板状部材１７Ａは水平に延びる。突出部材１７Ｂは、下外壁１１６から上側に突出する。板状部材１７Ａ及び突出部材１７Ｂは、それぞれの上側の端部に沿って水平に延びる仮想的な載置面１７２（図５参照）を形成する。載置面１７２は、下箱１１Ｂの凸部１２Ｂの上側の端部よりも下側、且つ、箱穴部１５の上側の端部よりも僅かに上側に配置される。以下、箱１１の内部空間のうち、載置台１７の上側の空間を、「機器収容部１７１」という。
【００３２】
図３、図５に示すように、機器収容部１７１に印刷機器２０が収容される。印刷機器２０は、後述する印刷媒体３１に熱転写方式で印刷を行うことが可能な機器である。印刷機器２０の形状は、左右方向に長い略箱状である。印刷機器２０は、載置台１７の上側に載置される。印刷機器２０は、給紙部２１及び排紙部２２を有する。給紙部２１は、印刷機器２０の上側面に設けられる。給紙部２１は、印刷媒体３１を内部に取り込むためのスリット状の開口部である。給紙部２１は左右方向に延びる。排紙部２２は、印刷機器２０の前側面に設けられる。排紙部２２は、印刷済みの印刷媒体３１を外部に排出するためのスリット状の開口部である。排紙部２２は左右方向に延びる。
【００３３】
図５に示すように、排紙部２２は、箱１１の排紙口１２に対して後側に配置される。排紙部２２は、上下方向において、下箱１１Ｂの前外壁１１１Ｂの凸部１２Ｂの上側の端部よりも上側、且つ、上箱１１Ａの前外壁１１１Ａの凹部１２Ａの上側の端部よりも下側に配置される。排紙部２２から排出される印刷済みの印刷媒体３１は、排紙口１２を介して箱１１の外部に排出される。
【００３４】
図２に示すように、箱１１の内部空間のうち、機器収容部１７１の後側に、ロール収容部１８１が形成される。ロール収容部１８１に、ロール保持部１８２、１８３、及び、誘導部材１８４、１８５が設けられる。ロール保持部１８２は、下箱１１Ｂの左外壁１１３Ｂの右側に配置される。ロール保持部１８２は、右側に突出する円柱状の突出部１８２Ａを有する。ロール保持部１８３は、下箱１１Ｂの右外壁１１２Ｂの左側に配置される。ロール保持部１８３は、左側に突出する円柱状の突出部１８３Ａを有する。ロール保持部１８２、１８３は、印刷媒体３１が巻回されたロール３０（図３参照）を、左右方向の両側から挟む。突出部１８２Ａ、１８３Ａは、ロール３０の芯３０Ａ（図５参照）の左右方向の両側の端部から内側に進入する。突出部１８２Ａ、１８３Ａは、ロール３０を回転可能に保持する。ロール３０は、印刷媒体３１が繰り出されるときの回転方向が、右側面視にて時計回りとなる状態で、ロール収容部１８１内に収容される。
【００３５】
図５に示すように、ロール保持部１８２の突出部１８２Ａは、載置台１７の載置面１７２よりも、上下方向において上側に配置される。突出部１８２Ａ、１８３Ａによって保持されたロール３０の芯３０Ａの下側の端部は、上下方向において、載置面１７２よりも僅かに下側に配置される。
【００３６】
＜誘導部材１８４、１８５＞
図２、図３に示すように、誘導部材１８４は、ロール収容部１８１の前側に配置される。図５に示すように、誘導部材１８４は、延設部材１８４Ａ、１８４Ｂ、棒部材１８４Ｃ、及び、図示しないバネを有する。延設部材１８４Ａは、左右方向に長い略矩形状の板状の部材である。延設部材１８４Ａは、下箱１１Ｂのうち、機器収容部１７１の後側、且つ、載置面１７２よりも上側から、後斜め上側に延びる。延設部材１８４Ａは、下箱１１Ｂに対して、左右方向に延びる軸を中心に回転可能に支持される。延設部材１８４Ａは、図示しないバネによって、右側面視にて反時計回りに付勢される。
【００３７】
延設部材１８４Ｂは、延設部材１８４Ａの後側の端部のうち左右方向の両側から、後斜め上側に延びる。延設部材１８４Ｂは、先端部で棒部材１８４Ｃを支持する。棒部材１８４Ｃは、断面形状が円形の棒状の部材である。棒部材１８４Ｃは、左右方向に延びる。棒部材１８４Ｃの左右方向の両側の端部は、延設部材１８４Ｂによって支持される。棒部材１８４Ｃは、ロール保持部１８２、１８３の突出部１８２Ａ、１８３Ａよりも、前後方向において前側、且つ、上下方向において上側に配置される。
【００３８】
図２、図３に示すように、誘導部材１８５は、箱１１の上外壁１１５に設けられる。誘導部材１８５は、延設部材１８５Ａ、１８５Ｂ、及び、棒部材１８５Ｃを有する。延設部材１８５Ａは、上外壁１１５の左側の端部の近傍から、箱１１の内側に向けて延びる。延設部材１８５Ｂは、上外壁１１５の右側の端部の近傍から、箱１１の内側に向けて延びる。図５に示すように、箱１１が閉じた状態で、延設部材１８５Ａ、１８５Ｂは、上外壁１１５のうち、前後方向においてロール保持部１８２、１８３よりも前側、且つ、誘導部材１８４の延設部材１８４Ａが下箱１１Ｂに接続する部分よりも、後側から延びる。延設部材１８５Ａ、１８５Ｂの下側の端部は、左右方向の両側から棒部材１８５Ｃを支持する。棒部材１８５Ｃは、断面形状が円形の棒状の部材である。棒部材１８５Ｃは、左右方向に延びる。図２、図３に示すように、箱１１が開いた状態で、誘導部材１８４の棒部材１８４Ｃと誘導部材１８５の棒部材１８５Ｃとは、離隔する。
【００３９】
ガイド部材１８６は、箱１１の上外壁１１５に設けられる。ガイド部材１８６は、上外壁１１５の左側、且つ、誘導部材１８５よりも前側に設けられる。ガイド部材１８６は板状の部材である。ガイド部材１８６の各面は、左右方向を向く。ガイド部材１８６の下側の端部１８６Ａは、略円弧状に湾曲する。
【００４０】
箱１１が開いた状態から閉じた状態に変化する過程で、ガイド部材１８６の端部１８６Ａは、誘導部材１８４の延設部材１８４Ａの上側の端部に接触する。ガイド部材１８６は、延設部材１８４Ａの上側の端部を、端部１８６Ａに沿って後斜め下側に移動させる。誘導部材１８４は、バネの付勢力に反して、下箱１１Ｂと接続する部分を中心として右側面視にて時計回りに回転する。図５に示すように、箱１１が閉じた状態で、誘導部材１８４の棒部材１８４Ｃと、誘導部材１８５の棒部材１８５Ｃとは、近接する。棒部材１８５Ｃは、棒部材１８４Ｃに対して、前斜め下側に配置される。
【００４１】
箱１１が開かれた状態で、ユーザによってロール保持部１８２、１８３にロール３０がセットされた場合を例に挙げる。この場合、ユーザによってロール３０の下側から繰り出された印刷媒体３１は、誘導部材１８４の棒部材１８４Ｃの後側及び上側を通される。印刷媒体３１の先端は、印刷機器２０の給紙部２１に挿入される。
【００４２】
この状態で、ユーザによって箱１１が閉じられる。誘導部材１８５の棒部材１８５Ｃは、棒部材１８４Ｃに対して上斜め後側から近接する。誘導部材１８４は、ガイド部材１８６の端部１８６Ａに接触することによって、右側面視にて時計回りに回転する。棒部材１８４Ｃは、棒部材１８５Ｃの上側を通って後側まで移動する。印刷媒体３１は、棒部材１８４Ｃの移動に伴って後側に移動し、棒部材１８４Ｃとの接触部分よりも下側の部分で棒部材１８５Ｃに接触する。印刷媒体３１は、棒部材１８５Ｃとの接触部分で前側に湾曲する。
【００４３】
箱１１が閉じた状態となった場合、印刷媒体３１は、ロール３０の下側から棒部材１８５Ｃの前側に向けて延び、棒部材１８５Ｃに接触して後側に湾曲し、棒部材１８５Ｃの上側、及び棒部材１８４Ｃの下側を通って後側に延び、棒部材１８４Ｃに接触して前側に湾曲し、棒部材１８４Ｃの上側を通って前側に延び、印刷機器２０の給紙部２１に至る。
【００４４】
ロール３０から繰り出された直後の印刷媒体３１には、巻き癖が付いている。これに対し、誘導部材１８４、１８５は、ロール３０から繰り出された印刷媒体３１を棒部材１８４Ｃ、１８５Ｃによって湾曲させることによって、印刷媒体３１に付いた巻き癖の湾曲方向と反対方向に湾曲させる。具体的には、誘導部材１８４、１８５は、ロール３０から繰り出された印刷媒体３１の先端側に向かう方向を、棒部材１８４Ｃに接触する部分で、後側から前側に変化させる。印刷媒体３１のうち棒部材１８４Ｃに接触して湾曲する部分の湾曲方向は、巻き癖の湾曲方向と逆方向である。又、印刷媒体３１のうち棒部材１８４Ｃと接触する湾曲部分の曲率は、ロール３０に巻回された状態の印刷媒体３１の曲率よりも小さい。このため、印刷媒体３１に付いた巻き癖は、棒部材１８４Ｃに接触して湾曲することに応じて、元に戻る。
【００４５】
＜蓋５０＞
図６に示すように、蓋５０は板状部材５１を有する。板状部材５１は、左右方向に長い矩形状の板状の部材である。板状部材５１の各面は、前後方向を向く。板状部材５１の上下方向及び左右方向の長さは、それぞれ、排紙口１２（図１参照）の上下方向及び左右方向の長さよりも長い。図７に示すように、板状部材５１の上側の端部（以下、「係合部５１１」という。）は、第１部分５１１Ａ及び第２部分５１１Ｂを有する。第１部分５１１Ａは、前側の端部から後側に向けて、略水平に延びる。第２部分５１１Ｂは、第１部分５１１Ａの後側の端部から、後斜め上側に向けて延びる。
【００４６】
図６に示すように、板状部材５１に取っ手５５が設けられる。取っ手５５は、架設部５５１、及び、突出部５５２Ａ、５５２Ｂを有する。突出部５５２Ａは、板状部材５１の上下方向の中心よりも上側、且つ、左右方向の中心５０Ｃよりも左側から、前側に向けて延びる。突出部５５２Ｂは、板状部材５１の上下方向の中心よりも上側、且つ、左右方向の中心５０Ｃよりも右側から、前側に向けて延びる。架設部５５１は、突出部５５２Ａ、５５２Ｂのそれぞれの前側の端部の間に亘って直線状に設けられる。
【００４７】
突出部５５２Ａ、５５２Ｂのそれぞれの左右方向の幅は、スリット１３Ａ、１３Ｂ（図４参照）のそれぞれの左右方向の幅と略同一である。突出部５５２Ａ、５５２Ｂ間の距離は、スリット１３Ａ、１３Ｂ間の距離と略同一である。より詳細には、突出部５５２Ａ、５５２Ｂのそれぞれの中心５０Ｃ側の端部の間の距離は、スリット１３Ａ、１３Ｂのそれぞれの中心１２Ｃ（図４参照）側の端部の間の距離Ｌ１と同一である。突出部５５２Ａ、５５２Ｂのそれぞれの中心５０Ｃと反対側の端部の間の距離は、スリット１３Ａ、１３Ｂのそれぞれの中心１２Ｃ（図４参照）と反対側の端部の間の距離Ｌ２と同一である。突出部５５２Ａと中心５０Ｃとの間の距離と、突出部５５２Ｂと中心５０Ｃとの間の距離とは、左右方向において同一である。従って、突出部５５２Ａ、５５２Ｂの左右方向の中心と、板状部材５１の左右方向の中心とのそれぞれの位置は一致する。突出部５５２Ａ、５５２Ｂは、中心５０Ｃに対して左右対称に配置される。以下、突出部５５２Ａ、５５２Ｂを総称して、「突出部５５２」という。
【００４８】
板状部材５１の下側の端部に、蓋開口部５１Ａ、５１Ｂ、５１Ｃが形成される。蓋開口部５１Ａ、５１Ｂ、５１Ｃは、上側に凹むことで開口を形成する。蓋開口部５１Ａは、中心５０Ｃと重なる位置に設けられる。蓋開口部５１Ｂは、中心５０Ｃよりも左側に設けられる。蓋開口部５１Ｃは、中心５０Ｃよりも右側に設けられる。蓋開口部５１Ａは、取っ手５５の突出部５５２Ａ、５５２Ｂで左右方向から挟まれた部分の下側に配置される。蓋開口部５１Ａの左側の端部は、左右方向において、突出部５５２Ａの右側の端部よりも右側に配置される。蓋開口部５１Ａの右側の端部は、左右方向において、突出部５５２Ｂの左側の端部よりも左側に配置される。蓋開口部５１Ａの左右方向の距離は、突出部５５２Ａ、５５２Ｂのそれぞれの中心５０Ｃ側の端部の間の距離Ｌ２よりも小さい。蓋開口部５１Ａの左右方向の距離は、箱穴部１５（図４参照）の左右方向の距離Ｌ３と同一である。
【００４９】
図８に示すように、板状部材５１のうち、左側の端部と蓋開口部５１Ｂとの間の部分に、後側に突出する突出部５２Ａが設けられる。図７、図８に示すように、板状部材５１のうち、右側の端部と蓋開口部５１Ｃとの間の部分に、後側に突出する突出部５２Ｂが設けられる。突出部５２Ａ、５２Ｂは、板状部材５１の上下方向の中心よりも下側から延びる。図６に示すように、板状部材５１及び突出部５２Ａを前後方向に貫通する穴部５３Ａが形成される。板状部材５１及び突出部５２Ｂを前後方向に貫通する穴部５３Ｂが形成される。穴部５３Ａ、５３Ｂは、左右方向に長い矩形状の長穴である。
【００５０】
図８に示すように、板状部材５１のうち、突出部５２Ａの左側に、後側に突出する突出部５２１Ａが設けられる。図７、図８に示すように、板状部材５１のうち、突出部５２Ｂの右側に、後側に突出する突出部５２１Ｂが設けられる。突出部５２１Ａ、５２１Ｂの前後方向の長さは、突出部５２Ａ、５２Ｂの前後方向の長さよりも長い。図８に示すように、突出部５２１Ａの下側に、第１付勢部材５７Ａが設けられる。第１付勢部材５７Ａは、突出部５２１Ａの下側面に接触する。蓋５０の突出部５２１Ｂの下側に、第１付勢部材５７Ｂが設けられる。第１付勢部材５７Ｂは、突出部５２１Ｂの下側面に接触する。第１付勢部材５７Ａ、５７Ｂはコイルバネである。第１付勢部材５７Ａ、５７Ｂは、開放位置から閉塞位置に向けて蓋５０を上側に付勢する。
【００５１】
図９に示すように、蓋５０は、箱１１の下箱１１Ｂの前外壁１１１Ｂの内側面に沿って配置される。又、蓋５０は、機器収容部１７１に対して前側に配置される。即ち、蓋５０は、前外壁１１１Ｂと機器収容部１７１との間に配置される。前外壁１１１Ｂの内側面は、上下方向に対して、上側の端部が前側に僅かに傾斜する。このため、蓋５０の板状部材５１も、上下方向に対して、係合部５１１が前側に僅かに傾斜する。蓋５０は、前外壁１１１Ｂの内側面に沿って、上下方向に対して僅かに傾斜した方向、より詳細には、前斜め上側と後斜め下側とに移動可能である。蓋５０は、前斜め上側に移動することに応じて閉塞位置に配置され、後斜め下側に移動することに応じて開放位置に配置される。
【００５２】
図１、図９に示すように、蓋５０が前斜め上側に向けて移動する場合、蓋５０の係合部５１１は、上側に対して箱１１の外側に向けて移動する。蓋５０が閉塞位置に配置された状態で、板状部材５１は、排紙口１２を内側から覆う。取っ手５５の突出部５５２は、排紙口１２内且つスリット１３に対して上側に配置される。蓋開口部５１Ａ（図６参照）の下側の一部分は、前側に配置された箱穴部１５の上側の一部分と重複する。蓋開口部５１Ａの上側の一部分は、前側に配置された覆口部分１４の一部分と重複する。
【００５３】
図９に示すように、板状部材５１の上側の係合部５１１は、上箱１１Ａの前外壁１１１Ａの凹部１２Ａの上側の端部に下側から接触して係合する。係合部５１１の第１部分５１１Ａ（図７参照）は、凹部１２Ａの上側の端部のうち下側面１２１Ａに接触する。係合部５１１の第２部分５１１Ｂ（図７参照）は、凹部１２Ａの上側の端部のうち、下側面１２１Ａと後側面１２１Ｂとが交差する交差部分に接触する。
【００５４】
蓋５０が閉塞位置から後斜め下側に移動する場合、取っ手５５の突出部５５２Ａは、スリット１３Ａに上側から進入し、スリット１３Ａに沿って下側に移動する。取っ手５５の突出部５５２Ｂは、スリット１３Ｂに上側から進入し、スリット１３Ｂに沿って下側に移動する。図５に示すように、蓋５０が開放位置に配置された場合、蓋開口部５１Ａは、上下方向の全域に亘って、前側に配置された箱穴部１５と重複する。板状部材５１の係合部５１１は、排紙口１２を形成する凸部１２Ｂの上側の端部よりも、上下方向において下側に配置される。排紙口１２は、板状部材５１によって覆われず、開放する。
【００５５】
＜保持機構７０＞
図１０に示すように、保持機構７０は、ボタン７１及び保持部材７２を有する。ボタン７１は、略四角柱状の部材である。ボタン７１は前後方向に延びる。ボタンの側面の角は湾曲する。ボタン７１の前側面７１Ａには、複数の凹凸が設けられている。保持部材７２は、左保持部材７３Ａ及び右保持部材７３Ｂを有する。左保持部材７３Ａは、ボタン７１の左側に連結される。右保持部材７３Ｂは、ボタン７１の右側に連結される。左保持部材７３Ａ及び右保持部材７３Ｂは、ボタン７１を挟んで左右対称である。以下、左保持部材７３Ａについて詳細に説明し、右保持部材７３Ｂについての説明は簡略化する。
【００５６】
左保持部材７３Ａは、延設部７３１Ａ、７３２Ａ、及び、規制部７３３Ａを有する。延設部７３１Ａは、ボタン７１の左側面のうち後側の端部から、左側に向けて延びる。延設部７３２Ａは、延設部７３１Ａの左側の端部から、前側に向けて延びる。延設部７３１Ａ、７３１Ｂは四角柱状である。規制部７３３Ａは、延設部７３２Ａの前側面のうち上側の部分から、前側に延びる。規制部７３３Ａの上側面は、前側に向けて斜め下側に傾斜する。以下、規制部７３３Ａの上側面を、「傾斜面７４Ａ」という。
【００５７】
右保持部材７３Ｂは、延設部７３１Ｂ、７３２Ｂ、及び、規制部７３３Ｂを有する。延設部７３１Ｂ、７３２Ｂ、及び、規制部７３３Ｂは、それぞれ、左保持部材７３Ａの延設部７３１Ａ、７３２Ａ、及び、規制部７３３Ａに対応する。規制部７３３Ｂの上側面は、左保持部材７３Ａの傾斜面７４Ａに対応する。以下、規制部７３３Ｂの上側面を、「傾斜面７４Ｂ」という。
【００５８】
図８に示すように、保持機構７０は、下箱１１Ｂの前外壁１１１Ｂの内側に配置される。又、図９に示すように、保持機構７０は、載置台１７の板状部材１７Ａの下側に配置される。図８に示すように、保持機構７０の左右方向の長さ、言い換えれば、左保持部材７３Ａの左側の端及び右保持部材７３Ｂの右側の端の間の長さは、蓋５０の穴部５３Ａ（図６参照）の左側の端及び穴部５３Ｂ（図６参照）の右側の端の間の長さと同一である。規制部７３３Ａの左右方向の長さは、穴部５３Ａの左右方向の長さと同一である。規制部７３３Ｂの左右方向の長さは、穴部５３Ｂの左右方向の長さと同一である。
【００５９】
図１に示すように、ボタン７１の断面形状は、箱穴部１５の形状と同一である。ボタン７１は、取っ手５５の架設部５５１の下側に配置される。取っ手５５の架設部５５１とボタン７１とは、上下方向に並ぶ。ボタン７１の左右方向の中心は、排紙口１２の左右方向の中心１２Ｃ、及び、蓋５０の板状部材５１の左右方向の中心５０Ｃと一致する。
【００６０】
保持機構７０は、前後方向に移動可能である。以下、保持機構７０が最も前側に移動した状態における、保持機構７０及びボタン７１の位置を、「第１位置」という。保持機構７０が最も後側に移動した状態における、保持機構７０及びボタン７１の位置を、「第２位置」という。図８に示すように、保持機構７０の延設部７３２Ａの後側に、第２付勢部材７７Ａが設けられる。第２付勢部材７７Ａは、延設部７３２Ａの後側面に接触する。保持機構７０の延設部７３２Ｂの後側に、第２付勢部材７７Ｂが設けられる。第２付勢部材７７Ｂは、延設部７３２Ｂの後側面に接触する。第２付勢部材７７Ａ、７７Ｂはコイルバネである。第２付勢部材７７Ａ、７７Ｂは、第２位置から第１位置に向けて保持機構７０を前側に付勢する。
【００６１】
第２付勢部材７７Ａ、７７Ｂから受ける付勢力によって保持機構７０が第１位置に移動した場合、図５、図９に示すように、ボタン７１は、箱１１の内側から箱穴部１５に挿通する。ボタン７１の前側面７１Ａは、下箱１１Ｂの前外壁１１１Ｂの外側面と同一平面上に配置される。なお、図９に示すように、蓋５０が閉塞位置に配置された状態で、蓋開口部５１Ａの下側の一部分は、箱穴部１５の上側の一部分と重複する。従って、保持機構７０が第１位置に配置された状態で、ボタン７１は、蓋開口部５１Ａのうち箱穴部１５との重複部分、即ち、蓋開口部５１Ａの下側の一部分に挿通される。又、図５に示すように、蓋５０が開放位置に配置された状態で、蓋開口部５１Ａは、上下方向の全域に亘って箱穴部１５と重複する。従って、保持機構７０が第１位置に配置された状態で、ボタン７１は、蓋開口部５１Ａのうち箱穴部１５との重複部分、即ち、蓋開口部５１Ａの上下方向の全域に亘って通過する。
【００６２】
なお、図示しないが、第２付勢部材７７Ａ、７７Ｂから受ける付勢力に逆らって保持機構７０及びボタン７１が第２位置に移動した場合、ボタン７１の前側面７１Ａは、蓋５０の板状部材５１と前後方向において略一致する位置まで、後側に移動する。この場合、蓋５０が閉塞位置に配置された状態で、蓋開口部５１Ａのうち箱穴部１５との重複部分に、ボタン７１の前側面７１Ａが配置される。又、蓋５０が開放位置に配置された状態で、ボタン７１の蓋開口部５１Ａのうち箱穴部１５との重複部分の上下方向の全域に亘って、前側面７１Ａが配置される。
【００６３】
＜蓋５０の開閉動作＞
第１付勢部材５７Ａ、５７Ｂの付勢力に応じて蓋５０が閉塞位置に配置され、且つ、第２付勢部材７７Ａ、７７Ｂの付勢力に応じて保持機構７０及びボタン７１が第１位置に配置された場合を例に挙げる。この場合、図１１に示すように、保持部材７２の規制部７３３Ａは、蓋５０の突出部５２Ａの下側に配置される。規制部７３３Ａの傾斜面７４Ａは、突出部５２Ａの下側の端部の後側に下側から接触する。なお、図示されていないが、蓋５０が閉塞位置に配置された状態で、保持部材７２の規制部７３３Ｂは、蓋５０の突出部５２Ｂの下側に配置される。規制部７３３Ｂの傾斜面７４Ｂは、突出部５２Ｂの下側の端部の後側に下側から接触する。
【００６４】
閉塞位置に配置された蓋５０に対し、第１付勢部材５７Ａ、５７Ｂの付勢力に逆らって開放位置に向かう方向の力が付加された場合を例に挙げる。このような場合の具体例として、取っ手５５の架設部５５１がユーザによって下側に押し下げられた場合が挙げられる。この場合、蓋５０の突出部５２Ａの下側の端部は、規制部７３３Ａの傾斜面７４Ａに接触しながら下側に移動する。蓋５０の突出部５２Ｂの下側の端部は、規制部７３３Ｂの傾斜面７４Ｂに接触しながら下側に移動する。この場合、規制部７３３Ａ、７３３Ｂに対して、後側に向かう方向の力が作用する。従って、保持機構７０及びボタン７１は、第２付勢部材７７Ａ、７７Ｂから受ける付勢力に逆らって、第１位置から第２位置に向けて移動する。
【００６５】
蓋５０が開放位置まで移動した場合、保持部材７２の規制部７３３Ａが蓋５０の突出部５２Ａの後側に配置され、且つ、保持部材７２の規制部７３３Ｂが蓋５０の突出部５２Ｂの後側に配置された状態となる。この場合、保持機構７０及びボタン７１は、第２付勢部材７７Ａ、７７Ｂの付勢力によって、元の第１位置に戻る。図１２に示すように、保持部材７２の規制部７３３Ａは、突出部５２Ａの穴部５３Ａに後側から進入する。保持部材７２の規制部７３３Ｂは、突出部５２Ｂの穴部５３Ａに後側から進入する。規制部７３３Ａ、７３３Ｂは、第１付勢部材５７Ａ、５７Ｂの付勢力に応じて蓋５０が開放位置から閉塞位置に移動することを規制する。この場合、蓋５０は、開放位置に配置された状態で保持される。蓋５０に対する開放位置に向かう方向の力が解除されても、蓋５０は元の閉塞位置に戻らない。
【００６６】
保持機構７０及びボタン７１が第１位置に配置され、且つ、蓋５０が開放位置で保持された状態において、保持機構７０及びボタン７１に対し、第２付勢部材７７Ａ、７７Ｂに逆らって第２位置に向かう方向の力が付加された場合を例に挙げる。このような場合の具体例として、ボタン７１が第１位置から第２位置に向けて押し込まれた場合が挙げられる。この場合、保持部材７２の規制部７３３Ａは、突出部５２Ａの穴部５３Ａに進入した状態から、後側に移動する。規制部７３３Ａは、突出部５２Ａの穴部５３Ａから離隔する（図１３参照）。保持部材７２の規制部７３３Ｂは、突出部５２Ｂの穴部５３Ａに進入した状態から、後側に移動する。規制部７３３Ｂは、突出部５２Ｂの穴部５３Ｂから離隔する。蓋５０の閉塞位置に向かう方向の移動が規制された状態は、保持機構７０及びボタン７１が第２位置に移動したことに応じて解除される。図１３に示すように、蓋５０は、第１付勢部材５７Ａ、５７Ｂの付勢力に応じて、開放位置から閉塞位置に移動する。蓋５０の板状部材５１は、排紙口１２を閉塞する。
【００６７】
図１３の状態から、保持機構７０及びボタン７１に対する第２位置に向かう方向の力の付加が解除された場合を例に挙げる。この場合、保持機構７０及びボタン７１は、第２付勢部材７７Ａ、７７Ｂの付勢力によって、第２位置から第１位置に移動する。図１１に示すように、保持部材７２の規制部７３３Ａは、蓋５０の突出部５２Ａの下側に配置される。保持部材７２の規制部７３３Ｂは、蓋５０の突出部５２Ｂの下側に配置される。
【００６８】
＜本発明の主たる作用、効果＞
以上説明したように、印刷機器収容箱１０において、箱１１の内部に配置された蓋５０は、前外壁１１１Ｂの内側面に沿って略上下方向に移動可能である。これによって、蓋５０は排紙口１２を開閉する。蓋５０は、閉塞位置に配置された状態で、排紙口１２を介して箱１１の内部に水、塵、埃等が進入することを抑制できる。印刷機器収容箱１０では、ボタン７１の操作に応じて、蓋５０の開放位置での保持状態が保持部材７２によって解除される。なお、蓋５０は、箱１１の内部を移動することになるので、開放位置に移動したときでも、箱１１から外側に突出しない。このため、ユーザは、印刷機器収容箱１０の設置スペースとして蓋５０の分を余分に確保する必要がない。又、印刷機器収容箱１０では、開放位置に配置された蓋５０に外部から力が加わり難くなるので、蓋５０に力が加わることによって蓋５０が動いてしまうことを抑制できる。従って、印刷機器収容箱１０は、箱１１に印刷機器２０が内蔵された場合に、印刷機器２０による印刷を安定的に実行させることができる。
【００６９】
上記において、蓋５０の蓋開口部５１Ａは、ボタン７１に蓋５０が接触することを回避するために必要な構成である。このため、蓋開口部５１Ａを介して箱１１の内部に水、塵、埃等が進入することを抑制する必要がある。これに対し、箱１１の覆口部分１４は、蓋５０が閉塞位置に配置された状態で、蓋開口部５１Ａの一部と重複する。このため、印刷機器収容箱１０は、蓋開口部５１Ａを介して水、塵、埃等が箱１１の内部に進入することを、覆口部分１４によって適切に抑制できる。
【００７０】
上記において、保持機構７０の規制部７３３Ａ、７３３Ｂは、ボタン７１が第１位置に配置された状態で、蓋５０が開放位置から閉塞位置に向けて移動することを規制する。又、規制部７３３Ａ、７７３Ｂは、ボタン７１が第１位置から第２位置に移動したときに、蓋５０の閉塞位置への移動が規制された状態を解除する。このため、ユーザは、ボタン７１を第１位置から第２位置に移動させる操作を行うことによって、蓋５０の位置を、開放位置から閉塞位置に切り替えることができる。なお、取っ手５５の架設部５５１とボタン７１とは、上下方向に並んで配置される。従って、ユーザは、取っ手５５とボタン７１との両方を片手で容易に操作できる。
【００７１】
上記において、第１付勢部材５７Ａ、５７Ｂは、開放位置から閉塞位置に向けて蓋５０を付勢する。第１付勢部材５７Ａ、５７Ｂは、蓋５０を閉塞位置で保持させることができる。このため、印刷機器収容箱１０は、水、塵、埃等が排紙口１２を介して箱１１の内部に進入することを、蓋５０によって適切に抑制できる。又、保持部材７２は、第１付勢部材５７Ａ、５７Ｂの付勢力によって、蓋５０の閉塞位置への移動が規制された状態を容易に解除できる。
【００７２】
上記において、第２付勢部材７７Ａ、７７Ｂは、第２位置から第１位置に向けて、保持機構７０及びボタン７１を付勢する。この場合、第２付勢部材７７Ａ、７７Ｂは、ボタン７１を第１位置から第２位置に移動させる操作が行われた後、ボタンを元の外側に戻すことができる。
【００７３】
上記において、取っ手５５の突出部５５２Ａ、５５２Ｂの左右方向の中心と、板状部材５１の左右方向の中心とは一致する。この場合、取っ手５５の架設部５５１に対して下側に力が加わったときに、蓋５０に対して、左右方向に均一に力が付与される。このため、ユーザは、取っ手５５の架設部５５１に対して下側に力を加えることによって、蓋５０を閉塞位置から開放位置にスムーズに移動させることができる。又、上記において、スリット１３Ａ、１３Ｂのそれぞれの間の距離と、取っ手５５の突出部５５２Ａ、５５２Ｂのそれぞれの間の距離とは、いずれも距離Ｌ１又は距離Ｌ２となり、一致する。これによって、印刷機器収容箱１０は、スリット１３に沿って突出部５５２が下側に移動するときに、蓋５０が左右方向にがたつくことを抑制できる。
【００７４】
上記において、蓋５０が閉塞位置に移動した場合、係合部５１１は、排紙口１２の一部を形成する凹部１２Ａに下側から接触して係合する。これによって、印刷機器収容箱１０は、蓋５０が閉塞位置に配置された状態で、排紙口１２と蓋５０との隙間から、水、塵、埃等が箱１１の内部に進入することを抑制できる。又、上記において、蓋５０は、前外壁１１１Ｂの内側に沿って、上下方向に対して僅かに傾斜した方向、より詳細には、前斜め上側と後斜め下側とに移動可能である。この場合、印刷機器収容箱１０は、蓋５０を、排紙口１２に対して箱１１の内側から適切に密着させることができる。従って、蓋５０は、排紙口１２を介して水、塵、埃等が箱１１の内部に進入することを更に適切に抑制できる。
【００７５】
上記において、機器収容部１７１の載置面１７２は、箱穴部１５よりも上側に配置される。このため、載置面１７２に載置される印刷機器２０とボタン７１とは、上下方向に並んで配置される。このため、印刷機器収容箱１０は、ボタン７１と機器収容部１７１とが前後方向に並んで配置されることを抑制できる。従って、印刷機器収容箱１０が前後方向に大きくなることを抑制できるので、印刷機器収容箱１０の小型化が可能となる。
【００７６】
ロール保持部１８２、１８３によって保持されたロール３０の芯３０Ａの下側の端部は、上下方向において、載置面１７２よりも僅かに下側に配置される。ロール３０から繰り出される印刷媒体３１は、載置面１７２を下側から上側に横切り、誘導部材１８４、１８５によって曲折しながら、印刷機器２０の給紙部２１に至る。この場合、印刷機器収容箱１０は、印刷媒体３１が、誘導部材１８４、１８５を介して印刷機器２０に誘導される過程で、印刷媒体３１の巻き癖を取り除くことができる。
【００７７】
＜変形例＞
本発明は上記実施形態に限定されず、種々の変更が可能である。上記における蓋開口部５１Ａは、板状部材５１を前後方向に貫通する穴でもよい。上記において、規制部７３３Ａ、７３３Ｂの数は２つに限定されず、１つでもよいし、３つ以上でもよい。第１付勢部材５７Ａ、５７Ｂは設けられなくてもよい。蓋５０は、規制部７３３Ａ、７３３Ｂの傾斜面７４Ａ、７４Ｂによって下方から支持されることによって、閉塞位置に配置された状態が維持されてもよい。第２付勢部材７７Ａ、７７Ｂは設けられなくてもよい。ユーザは、ボタン７１の位置を、第２位置から第１位置に手動で切り替えてもよい。
【００７８】
上記において、突出部５５２Ａ、５５２Ｂの左右方向の中心と、板状部材５１の左右方向の中心とのそれぞれの位置は、中心１２Ｃ、５０Ｃで一致した。これに対し、突出部５５２は、板状部材５１の左右方向の中心に配置されなくてもよく、左側又は右側にずれていてもよい。取っ手５５は、架設部５５１を有していなくてもよく、１つの突出部のみで構成されてもよい。
【００７９】
蓋５０の板状部材５１の係合部５１１の形状は、上記の実施形態に限定されない。例えば、係合部５１１は、板状部材５１の上側の端部に設けられた溝部であってもよい。溝部は、上側面に沿って左右方向に延びていてもよい。蓋５０が閉塞位置に配置された状態で、排紙口１２のうち凹部１２Ａの上側の端部に溝部が下側から嵌ってもよい。又、板状部材５１に係合部５１１は設けられなくてもよい。
【００８０】
上記において、蓋５０が開放位置から閉塞位置に向けて移動するときの移動方向は、上下方向に対して、箱１１の外側に傾斜した。これに対し、蓋５０は、開放位置から閉塞位置に向けて移動するときに、上下方向に沿って移動してもよい。
【００８１】
上記において、箱穴部１５は、載置台１７の載置面１７２よりも下側に配置された。このため、蓋５０の蓋開口部５１Ａと箱穴部１５との重複部分は、載置面１７２よりも下側に配置された。これに対し箱穴部１５は、載置面１７２よりも上側に配置されてもよい。上記において、ロール保持部１８２、１８３によって保持されたロール３０の芯３０Ａの下側の端部は、上下方向において、載置面１７２よりも僅かに下側に配置された。これに対し、ロール３０の芯３０Ａの下側の端部は、上下方向において、載置面１７２よりも上側に配置されてもよい。誘導部材１８４、１８５は設けられなくてもよい。印刷媒体３１は、ロール３０から印刷機器２０に直接供給されてもよい。
【００８２】
＜その他＞
左右方向は本発明の「第１方向」の一例である。上下方向は本発明の「第２方向」の一例である。
【符号の説明】
【００８３】
１０      ：印刷機器収容箱
１１      ：箱
１２      ：排紙口
１３、１３Ａ、１３Ｂ    ：スリット
１４      ：覆口部分
１５      ：箱穴部
２０      ：印刷機器
３０      ：ロール
３１      ：印刷媒体
５０      ：蓋
５１Ａ    ：蓋開口部
５５      ：取っ手
５７Ａ、５７Ｂ    ：第１付勢部材
７０      ：保持機構
７１      ：ボタン
７２      ：保持部材
７７Ａ、７７Ｂ    ：第２付勢部材
１７１    ：機器収容部
１７２    ：載置面
１８１    ：ロール収容部
１８４、１８５    ：誘導部材
５１１    ：係合部
５５１    ：架設部
５５２、５５２Ａ、５５２Ｂ  ：突出部
７３３Ａ、７３３Ｂ：規制部
【図１】
2016155249.tif 000003
【図２】
2016155249.tif 000004
【図３】
2016155249.tif 000005
【図４】
2016155249.tif 000006
【図５】
2016155249.tif 000007
【図６】
2016155249.tif 000008
【図７】
2016155249.tif 000009
【図８】
2016155249.tif 000010
【図９】
2016155249.tif 000011
【図１０】
2016155249.tif 000012
【図１１】
2016155249.tif 000013
【図１２】
2016155249.tif 000014
【図１３】
2016155249.tif 000015